(57)【要約】  単位表示装置から生じる熱を円滑に放出することができる多画面表示装置が提供される。また、複数の単位表示装置の画面によって形成される大画面を平面に保つことができる多画面表示装置が提供される。  多画面表示装置（１００）は、配置板(１)と、その表面に縦横に並べられた複数の液晶表示装置(２)とを含む。前記配置板は、熱伝導性の良い材料（例えばアルミニウム）で形成される。前記複数の液晶表示装置のそれぞれは、平面状の裏面を有し、前記配置板の表面に密着する。前記複数の液晶表示装置から生じる熱は、前記配置板を伝わり、前記多画面表示装置の外部へ放出される。
2010050055.tif 000002
【特許請求の範囲】
【請求項１】
複数の単位画像装置により大画面を形成する多画面表示装置であって、
前記複数の単位画像装置を面接触となるように同一平面上に配置する配置板を有することを特徴とする多画面表示装置。
【請求項２】
前記配置板は金属材料によって形成されていることを特徴とする請求項１に記載の多画面表示装置。
【請求項３】
前記配置板に接触される単位画像装置の裏面は平面状に形成されていることを特徴とする請求項１又は２のいずれか一項に記載の多画面表示装置。
【請求項４】
前記単位画像装置は、前記配置板の裏面側から固定体によって固定されることを特徴とする請求項１から３のうちのいずれか一項に記載の多画面表示装置。
【請求項５】
前記単位画像装置の裏面縁部には、隣接する単位画像装置との間に隙間が形成されていることを特徴とする請求項１から４のうちのいずれか一項に記載の多画面表示装置。
【請求項６】
前記配置板の裏側には、被取付体の取付面に取り付け可能で、かつ該配置板の裏面との間に間隙を形成する支持脚が設けられていることを特徴とする請求項１から５のうちのいずれか一項に記載の多画面表示装置。
【請求項７】
前記配置板の裏側には、複数のリブが設けられていることを特徴とする請求項１から６のうちのいずれか一項に記載の多画面表示装置。
【請求項８】
前記配置板の裏側のリブは、上下に沿うように配置されていることを特徴とする請求項１から７のうちのいずれか一項に記載の多画面表示装置。
【発明の詳細な説明】
【技術分野】
【０００１】
本発明は、大ホール、交通機関、ショッピングモール、オペレーションルームなどの公共機関、学校などの教育の場で使用することができる多画面表示装置に関するものである。
【背景技術】
【０００２】
多数の単位画像装置を並列配置することにより大画面を形成した多画面表示装置が知られている。この多画面表示装置は、平面状に多数の単位画像装置をマトリックス状に配置することにより、一つの大画面を形成し、これによって、例えば巨大スクリーンを構成できるものである。【０００３】
このような多画面表示装置として、特許文献１に示される平面型画像表示装置が知られている。
この平面型画像表示装置は、固定治具を介して、複数の単位平面型表示素子（単位画像装置）を架台に固定するものであって、前記固定治具によって単位平面型表示素子と架台との間には間隙が形成されている。
そして、このような単位平面型表示素子と架台との間に形成された間隙を通じて、該単位平面型表示素子から発せられた熱が、外部に放熱されるようになっている。
【特許文献１】特開２００５−２４１８１９号公報
【発明の開示】
【発明が解決しようとする課題】
【０００４】
ところで、特許文献１に示される平面型画像表示装置では、個々の単位画像装置が架台に対して間隔を持って取り付けられる構成であるので、単位画像装置と架台の間隙に熱がこもり易く、十分な放熱がなされないという問題があった。また、固定治具によって個々の単位画像装置が架台に対して支持される構成であるので、単位画像装置の平面度が保たれない場合もあり、大画面の形成に支障を来たす恐れもあり、また、架台への個々の取り付け作業も重労働であるという問題もあった。【０００５】
本発明は、このような事情を考慮してなされたもので、単位画像装置からの放熱を円滑に行うとともに、該単位画像装置によって形成される大画面の平面度を保ち、かつ取り付け作業も容易に行うことが可能な多画面表示装置の提供を目的とする。
【課題を解決するための手段】
【０００６】
上記目的を達成するために、本発明は、複数の単位画像装置により大画面を形成する多画面表示装置であって、前記複数の単位画像装置を面接触となるように同一平面上に配置する配置板を有することを特徴とするものである。
【図面の簡単な説明】
【０００７】
【図１】本発明の第１実施形態に係る多画面表示装置１００を正面側から見た斜視図である。
【図２】図１の多画面表示装置１００をII−II線に沿って切断した断面図である。
【図３】本発明の第２実施形態に係る多画面表示装置１０１を正面側から見た斜視図である。
【図４】図３の多画面表示装置１０１をIV−IV線に沿って切断した断面図である。
【図５】図３及び図４の多画面表示装置１０１の変形例を示す断面図である。
【図６】図５の変形例に係わる配置板１を正面側から見た斜視図である。
【図７】図５の変形例に係わる配置板１を裏側から見た斜視図である。
【符号の説明】
【０００８】
１…配置板
２…液晶表示装置（単位画像装置）
３…接触面
４…隙間
５…ねじ（固定体）
１０…支持脚
２０…リブ
１００，１０１…多画面表示装置
【発明を実施するための最良の形態】
【０００９】
まず、図１及び図２を参照して本発明の第１実施形態について説明する。
これらの図において符号１００は本実施形態に係わる多画面表示装置であり、符号１で示すものは、多画面表示装置１００の一構成要素である配置板である。この配置板１はアルミニウム等の熱伝導性の良い材料により形成されるものであって、前面１Ａ及び裏面１Ｂとも平面状に形成されている。【００１０】
前記配置板１の前面１Ａには、単位画像装置となる液晶表示装置２が縦３台、横３台となるようにマトリックス状に配置することで一つの大画面が形成されている。
なお、液晶表示装置２には、一般の入力映像信号(テレビ・ＰＣ等)が入力されて液晶パネルに映像を表示するに適した形式に変換する信号処理回路、入力がアナログＰＣ信号の場合に使用されるＡ／Ｄ変換器、解像度変換回路、同期処理回路、電源回路、複数の液晶表示装置２により一つの大画面を表示するための制御回路などの画像表示に必要な回路が設けられているが、図面では省略されている。【００１１】
これら複数の液晶表示装置２は、配置板１の前面１Ａに密着するように、それぞれの裏面２Ａが（凸部を有さない）平面状に形成されている。そして、このような液晶表示装置２の裏面２Ａと、配置板１の前面１Ａとが密着することにより形成された接触面（符号３で示す）を介して、該液晶表示装置２が同一平面上に配置されるとともに、液晶表示装置２から伝達された熱を外部に放出して、該液晶表示装置２の放熱及び該液晶表示装置２の温度の均一化を図るようにしている。【００１２】
また、前記液晶表示装置２の裏面２Ａの縁部には、隣接する液晶表示装置２との間に隙間４が形成されている。そして、液晶表示装置２の裏面２Ａ縁部に形成された隙間４により各液晶表示装置２で発生した熱が、該液晶表示装置２の後部を通じて、隣接する液晶表示装置２に直接伝達されることが防止される。【００１３】
また、前記液晶表示装置２のそれぞれは、配置板１の裏面１Ｂ側からねじ孔１Ｃを通じて螺合されたねじ５（固定体）によって該配置板１に固定されている。そして、このように配置板１の裏面１Ｂからねじ５によって液晶表示装置２を固定することによって、該液晶表示装置２の前面側に、固定のための構成要素を配置する必要がなく、画面を見る際に障害となることが無い。なお、ねじ５による固定体によらず、接着により配置板１の前面１Ａに固定しても良い。【００１４】
そして、上記のような液晶表示装置２が支持された配置板１は、図示しない吊具を介して壁Ｗの前面に位置する壁面Ｗ１等の被取付体の取付面に取り付けられる。【００１５】
以上詳細に説明したように本実施形態に係わる多画面表示装置１００によれば、配置板１の前面１Ａと、液晶表示装置２の裏面２Ａとが接触面３を介して密着され、かつ複数の液晶表示装置２が同一平面となるように配置されるように構成したので、該接触面３を通じて、液晶表示装置２からの放熱を円滑に行ない、該液晶表示装置２の温度を均一化することができる。また、配置板１によって複数の液晶表示装置２を直接支持する構成であるので、該液晶表示装置２によって形成される大画面の平面度を保つことができる。また、複数の液晶表示装置２が配置されてなる配置板１を一体で取り扱うことで、壁面Ｗ１等の被取付体の取付面に対する取り付け作業、装置全体の位置調整、移転等の作業も容易に行うことができる。【００１６】
また、上記の多画面表示装置１００では、配置板１はアルミニウムなどの熱伝導性に優れた材料によって形成することにより、液晶表示装置２で発せられた熱を、配置板１を通じて外部に円滑に放熱することができる。【００１７】
また、上記の多画面表示装置１００では、配置板１に接触される液晶表示装置２の裏面２Ａも、該配置板１の前面１Ａと同様に、平面状に形成されていることから、配置板１の前面１Ａと、液晶表示装置２の裏面２Ａとが接触面３を介して密着され、液晶表示装置２で発生した熱を配置板１に効率良く伝達することができ、液晶表示装置２の放熱を円滑に行うことが可能となる。【００１８】
なお、配置板１の前面１Ａに、単位画像装置となる液晶表示装置２を縦３台、横３台となるようにマトリックス状に配置したが、複数であれば台数、その配置パターンは限定されない。例えば、液晶表示装置２を直列に配置しても良いし、直列と並列を組み合わせても良い。例えば、形成された大画面が全体として水平方向に長い画面であっても良い。【００１９】
また、配置板１は、軽量で熱伝導性に優れたアルミニウムを使用したが、熱伝導性が良いのであれば、アルミニウムで形成されることに限定されず、他の金属、又はアルミニウムを含む複合材等により形成しても良い。【００２０】
まず、図３〜図７を参照して本発明の第２実施形態について説明する。なお、以下の説明において第１実施形態と構成を共通にする箇所に同一符号を付して重複した説明を省略する。【００２１】
第２実施形態に係わる多画面表示装置１０１が、第１実施形態に係わる多画面表示装置１００と構成を異にするのは、配置板１の裏面１Ｂに支持脚１０を設けた点である。この支持脚１０は、図３及び図４に示すように、配置板１の裏面１Ｂに該配置板１と一体に設けられるものであって、図示しない吊具を介して壁面Ｗ１等の被取付体の取付面に取り付け可能であり、また、壁面Ｗ１等の被取付体に取り付けた場合に、該配置板１の裏面１Ｂとの間に間隙１１を形成する。そして、このような間隙１１を通じて配置板１に伝達された液晶表示装置２の熱を放出することができる。【００２２】
なお、図３及び図４は画像表示に必要な画像表示回路を省略したものであるが、該画像表示回路（符号１２で示す）は、図５〜図７に示す位置に設けても良い。該画像表示回路１２は、上述したように、一般の入力映像信号(テレビ・ＰＣ等)が入力されて液晶パネルに映像を表示するに適した形式に変換する信号処理回路、入力がアナログＰＣ信号の場合に使用されるＡ／Ｄ変換器、解像度変換回路、同期処理回路、電源回路、複数の液晶表示装置２により一つの大画面を表示するための制御回路などにより構成される。【００２３】
これら図５〜図７について説明すると、配置板１には、前述したねじ孔１Ｃとともに、画像表示回路１２に至るケーブル（図示せず）が挿通されるケーブル孔１Ｄが形成されている。
また、図７の配置板１を裏側から見た図を参照してわかるように、該配置板１の裏面１Ｂには、ヒートシンクを構成する複数のリブ２０が設けられている。これらリブ２０は、ねじ孔１Ｃ及びケーブル孔１Ｄを挟むように所定の間隔をおいて上下に沿って配置されたものであって、特に配置板１に上下にかかる外的応力に対する補強を図るとともに、該配置板１に伝達された液晶表示装置２からの熱を発散しつつ、上方に案内する役割もある。
なお、図５〜図７に示す多画面表示装置１０１では、第１実施形態に示される、液晶表示装置２の裏面２Ａに形成された隙間４が省略されている。【００２４】
以上のような第２実施形態に係わる多画面表示装置１０１では、配置板１の裏面１Ｂに、壁面Ｗ１等の被取付体の取付面に取り付け可能で、かつ該配置板１の裏面１Ｂとの間に間隙１１を形成する支持脚１０が設けられているので、該間隙１１を通じて、配置板１に伝達された液晶表示装置２の熱を放出することができ、前述した液晶表示装置２の放熱を促進することができる。【００２５】
また、上記多画面表示装置１０１では、配置板１の裏側に設けられた複数のリブ２０によって、該配置板１の補強が図られる他、空気との接触面積が増加して放熱効果を上昇させることができ、該配置板１を伝達した液晶表示装置２の熱を円滑に排出することができる。【００２６】
また、上記多画面表示装置１０１では、配置板１の裏側のリブ２０が上下に沿うように配置されているので、該リブ２０を通じて配置板１に伝達された熱を上方に案内して、そのまま排出することができ、より高い放熱効果を得ることができる。【００２７】
なお、配置板１の裏面１Ｂに位置する支持脚１０は、配置板１と一体に形成しても良いし、別体に設けて該配置板１の裏面１Ｂに取り付けても良い。
また、リブ２０は、配置板１と同様に熱伝導性の良いアルミニウムで形成すると良い。さらに、該リブ２０は、配置板１と一体に設けても良いし、別体で設けたものを該配置板１取り付けても良い。【００２８】
また、上述した実施の形態は、本発明の実施の形態のうち一例を示すものであり、本発明は、この実施の形態に限定されるものではない。
【図１】
2010050055.tif 000003
【図２】
2010050055.tif 000004
【図３】
2010050055.tif 000005
【図４】
2010050055.tif 000006
【図５】
2010050055.tif 000007
【図６】
2010050055.tif 000008
【図７】
2010050055.tif 000009
【国際調査報告】
2010050055.tif 000010
2010050055.tif 000011
2010050055.tif 000012
2010050055.tif 000013